(57)【要約】【課題】  従来、複数の駒体が連結されたドミノ駒では、構造が複雑なレールやベースを必要とするので、高価となり、また配列を自由に選択することは困難であった。【解決手段】  駒体の最大面の、立設時に下底となる部分の近傍に対して、少なくとも２本の穿孔が設けられ、当該穿孔に挿通された糸状部材によって複数個の駒体が連結されていることを特徴とする。【選択図】図１
2016077833.tif 000002
【特許請求の範囲】
【請求項１】
駒体の最大面の、立設時に下底となる部分の近傍に対して、少なくとも２本の穿孔が設けられ、当該穿孔に挿通された糸状部材によって複数個の駒体が連結されていることを特徴とするドミノ駒。
【請求項２】
前記糸状部材が挿通された穿孔に針状の楔が打ち込まれることによって、当該糸状部材が穿孔に固定される請求項１記載のドミノ駒。
【請求項３】
駒体の最大面に隣接する両側面の、立設時に下底となる部分の近傍に、少なくとも２本の糸状部材が固設され、当該糸状部材によって複数個の駒体が連結されていることを特徴とするドミノ駒。
【請求項４】
前記駒体の両側面に溝が削設され、当該溝に糸状部材が固設される請求項３記載のドミノ駒。
【請求項５】
駒体の立設時に下面となる部分に、少なくとも２本の糸状部材が固設され、当該糸状部材によって複数個の駒体が連結されていることを特徴とするドミノ駒。
【請求項６】
前記駒体の下面に少なくとも２本の溝が削設され、当該溝に糸状部材が固設される請求項５記載のドミノ駒。
【請求項７】
各駒体は立設時の高さ寸法よりも小さい間隔で連結される請求項１ないし６のいずれかに記載のドミノ駒。
【請求項８】
駒体の最大面は、台形を呈している請求項１ないし７のいずれかに記載のドミノ駒。
【請求項９】
複数の駒体は、相互に異型である請求項１ないし８のいずれかに記載のドミノ駒。
【請求項１０】
複数の駒体を順次転倒させることによって、その上面となる最大面に連続的に意味のある文字、図形もしくは記号が表示されるように構成されている請求項１ないし９のいずれかに記載のドミノ駒。
【請求項１１】
複数の駒体を一方向に順次転倒させることによって表示される内容と、他方向に順次転倒させることによって表示される内容が異なる請求項１０記載のドミノ駒。
【発明の詳細な説明】
【技術分野】
【０００１】  本発明は、「ドミノ倒し」や「将棋倒し」と称される遊びに使用されるドミノチップや将棋の駒のように使用され得るドミノ駒に関するものであって、通常は駒やチップがバラバラの状態で、それらを一個一個連続的に立てなければならないものであったが、各駒を糸状部材で連結することにより、複数個の駒を一気に立てることができることを特徴とするものである。
【背景技術】
【０００２】  従来、ドミノ駒がレール上に転倒自在に立設されるもの（特許文献１参照）およびベースに転倒自在に立設されるもの（特許文献２参照）が提案されている。
これらのドミノ駒はレールやベース上に装着されるものであるので、ドミノ駒の他に構造が複雑なレールやベースを必要とし、高価とならざるを得ない。
また、ドミノ駒の配列形態はレールやベースによって決まっていまい、自由に配列することは困難であった。【０００３】
【先行技術文献】
【０００４】
【特許文献１】  特開平２００２−１９１８５８号公報
【特許文献２】  特開平２００４−１３６０５２号公報
【発明の概要】
【発明が解決しようとする課題】
【０００５】  前述のように従来のドミノ駒では、ドミノ駒の他に構造が複雑なレールやベースを必要とするので、高価とならざるを得なくなり、また、ドミノ駒の配列形態はレールやベースによって決まっていまい、自由に配列することは困難であった。【０００６】  本発明は、上記のような従来の課題に鑑み、構造が複雑なレールやベースを必要とはせず、また駒体を１個ずつ立てる必要のないドミノ駒を実現せんとするものである。【０００７】
【課題を解決するための手段】
【０００８】  （１）本発明の第１の観点は、駒体の最大面の、立設時に下底となる部分の近傍に対して、少なくとも２本の穿孔が設けられ、当該穿孔に挿通された糸状部材によって複数個の駒体が連結されていることを特徴とするものである。
なお、駒体は木製であることが好ましいが、プラスチックスや金属などの他の材質のものであってもよく、また糸状部材としてはタコ糸が好ましいが、縫製用の糸や釣用のテグス、細いチェーンであってもよい。【０００９】  本発明では、駒体の最大面の、立設時に下底となる部分の近傍に対して、少なくとも２本の穿孔が設けられ、当該穿孔に挿通された糸状部材によって複数個の駒体が連結されているので、両端の駒体を両手で把持して左右に引っ張れば、前記糸状部材が緊張状態となって、全ての駒体が瞬時に立設状態となって糸状部材に保持される。
その状態で基台上に載置すると、各駒体は基台上に通常のドミノ駒と同様に立設されることになり、一端の駒体を他方の駒体の方向に人為的に転倒させると、通常のドミノ倒しのように各駒体が順次転倒していく。
なお、糸状部材は、立設時に下底となる部分の近傍に挿通されているので、各駒体が順次転倒していく際に邪魔になることはない。
また、各駒体は少なくとも２本の糸状部材にて保持されるので、両端の駒体を左右に引っ張って糸状部材を緊張状態とした際に、全ての駒体が立設状態の姿勢となって保持される。【００１０】  （２）本発明において、糸状部材が挿通された穿孔に針状の楔が打ち込まれることによ  って、当該糸状部材が穿孔に固定されることが望ましい。
糸状部材が挿通された穿孔に針状の楔を打ち込むことによって、接着剤を使用せずとも駒体が前記糸条部材に容易かつ堅固に固定される。【００１１】  （３）本発明の第２の観点は、駒体の最大面に隣接する両側面の、立設時に下底となる部分の近傍に、少なくとも２本の糸状部材が固設され、当該糸状部材によって複数個の駒体が連結されていることを特徴とするものである。
本発明では、駒体の最大面に隣接する両側面の、立設時に下底となる部分の近傍に、少なくとも２本の糸状部材が固設されているので、各駒体に穿孔を設ける必要はない。
ただし、この場合前記駒体と糸状部材は接着剤などによって接着する必要がある。【００１２】  （４）本発明において、前記駒体の両側面に溝が削設され、当該溝に糸状部材が固設されることが望ましい。
駒体の両側面に溝が削設され、当該溝に糸状部材が固設されていると、前記糸状部材が駒体の両側面からはみ出ず、見栄えが良くなると共に、糸状部材が駒体の両側面から外れ難くなる。【００１３】  （５）本発明の第３の観点は、駒体の立設時に下面となる部分に、少なくとも２本の糸状部材が固設され、当該糸状部材によって複数個の駒体が連結されていることを特徴とする。
駒体の立設時に下面となる部分に、少なくとも２本の糸状部材が固設されているので、駒体が順次転倒していく際に前記糸状部材が邪魔にならず、転倒し易くなる。【００１４】  （６）本発明において、駒体の下面に少なくとも２本の溝が削設され、当該溝に糸状部材が固設されることが望ましい。
駒体の下面に溝が削設され、当該溝に糸状部材が固設されていると、当該駒体が糸状部材の上部に乗ることはなく、駒体は安定的に基台に載置されることになると共に、糸状部材が駒体の下面から外れ難くなる。【００１５】  （７）本発明において、各駒体は立設時の高さ寸法よりも小さい間隔で連結されていることが望ましい。
各駒体が立設時の高さ寸法よりも小さい間隔で連結されていると、一端の駒体を他方の駒体の方向に人為的に転倒させると、各駒体が順次確実に転倒していく。【００１６】  （８）本発明において、駒体の最大面は、台形を呈していてもよい。【００１７】  （９）本発明において、複数の駒体は、相互に異型であってもよい。【００１８】  （１０）本発明において、複数の駒体を順次転倒させることによって、その上面となる  最大面に連続的に意味のある文字、図形もしくは記号が表示されるように構成されてい  てもよい。【００１９】  駒体の最大面は転倒の順に水平に近い状態となる。従って、その際に各駒体の上面となる部分に、例えば「こ」「ん」「に」「ち」「は」と表示がされていると、駒体を転倒させた際に「こんにちは」という一連に称呼される文字が現れ、ドミノ倒しを行う者の興味を引くことになる。
特に、幼児に対しては知的玩具としての意義も存することになる。【００２０】  （１１）本発明において、複数の駒体を一方向に順次転倒させることによって表示される内容と、他方向に順次転倒させることによって表示される内容が異なるように構成されていてもよい。
前述のように、駒体を一方向に順次転倒させることによって、「こんにちは」という一連に称呼される文字が現れ、前記駒体を他方向に順次転倒させることによって今度は「さようなら」という一連に称呼される文字が現れるように構成することによって、ドミノ倒しを行う者の興味をより一層引くことになる。
【発明の効果】
【００２１】  本発明では、各駒体は少なくとも２本の糸状部材にて保持されるので、両端の駒体を左右に引っ張って糸状部材を緊張状態とした際に、全ての駒体が瞬時に立設状態の姿勢となって保持される。
従って、構造が複雑なレールやベースを必要とせず、安価なドミノ駒を実現することができる。
また、ドミノ駒を自由に配列することができる。
【図面の簡単な説明】
【００２２】
【図１】本発明の第１の実施形態に係るドミノ駒の斜視図で、（Ａ）は立設状態を表し（Ｂ）は転倒状態を表す。
【図２】本発明の第１の実施形態に係るドミノ駒の平面図で、複数のドミノ駒が連続的に載置されている状態を表す。
【図３】本発明の第１の実施形態に係るドミノ駒の立設時に下底となる部分の近傍の拡大縦断面図である。
【図４】本発明の第１の実施形態に係る駒体の正面図である。
【図５】本発明の第１の実施形態に係るドミノ駒の平面図で、複数のドミノ駒が直列および並列に連続的に載置されている状態を表す。
【図６】本発明の第２の実施形態に係るドミノ駒の平面図で、複数のドミノ駒が直列および並列に連続的に載置されている状態を表す。
【図７】本発明の第３の実施形態に係る駒体の立設時に下底となる部分の近傍の正面図である。
【図８】本発明の第４の実施形態に係る駒体の立設時に下底となる部分の近傍の拡大正面図である。
【図９】本発明の第５の実施形態に係る駒体の立設時に下底となる部分の近傍の拡大正面図である。
【図１０】本発明の第６の実施形態に係る駒体の立設時に下底となる部分の近傍の拡大正面図である。
【図１１】本発明の第１の実施形態に係るドミノ駒の平面図で、右側から順次転倒した状態を表す。
【図１２】本発明の第１の実施形態に係るドミノ駒の平面図で、左側から順次転倒した状態を表す。
【発明を実施するための形態】
【００２３】  以下、図面を参照しつつ、本発明の実施形態を説明する。
図１ないし図５は本発明の第１の実施形態に係るドミノ駒１を示し、図１（Ａ）は立設状態で（Ｂ）は転倒状態の斜視図、図２は複数のドミノ駒１が連続的に載置されている状態の平面図、図３は駒体２の立設時に下底となる部分の近傍の拡大縦断面図、図４は駒体２の正面図そして図５はドミノ駒１の平面図で、複数のドミノ駒１が直列および並列に連続的に載置されている状態を表す。
【００２４】  これらの図において、駒体２は、高さが４０ｍｍ、幅が２０ｍｍ、厚さが８ｍｍの直方体形状を呈している。
また、駒体１の最大面（高さ×幅の面）が、立設時に下底となる部分の近傍に対して、２本の穿孔２が設けられ、当該穿孔３に挿通されたタコ糸３によって複数個の駒体２が連結されている。各駒体２間の間隔は３５ｍｍであるが、駒体２の高さよりも短かれば、３５ｍｍ以上でも以下でもよい。
【００２５】  図３に示すように、前記タコ糸４が挿通された穿孔３に針状の楔５が打ち込まれることによって、当該タコ糸４が穿孔３に固定される。かようにタコ糸４が挿通された穿孔３に楔５を打ち込むことによって、接着剤を使用せずとも駒体１が前記タコ糸４に容易かつ堅固に固定される。
なお、駒体１は木製であることが好ましいが、プラスチックスや金属などの他の材質のものであってもよく、またタコ糸４の他に縫製用の糸や釣用のテグス、細い金属製のチェーンを使用してもよい。
【００２６】  本実施の形態では、一連のドミノ駒１は５個の駒体２が連結されることによって構成されているが、利用の態様によっては５個以上でも以下でもよい。
而して、両端の駒体２を両手で把持して左右に引っ張れば、前記タコ４が水平方向に延存して緊張状態となり、全ての駒体１が瞬時に図１（Ａ）に示すように立設状態となってタコ糸４に保持される。
その状態で基台上に載置すると、各駒体２は基台上に通常のドミノ駒と同様に立設されることになり、一端（図１では右端）の駒体１を他方の駒体２の方向（図１では左方）に人為的に転倒させると、図１（Ｂ）に示すように通常のドミノ倒しのように各駒体２が順次転倒していく。
なお、タコ糸４は、立設時に下底となる部分の近傍に挿通されているので、各駒体２が順次転倒していく際に邪魔になることはない。
【００２７】  また、図１（Ｂ）に示すように、転倒したドミノ駒１は、前述と同様に両端の駒体２を左右に引っ張ることによって瞬時に立設状態の姿勢となって保持される。
なお、糸状部材が１本であると、駒体が当該糸状部材を中心として回転してしまい、当該駒体の姿勢が不揃いとなる虞があるが、２本以上であるなら３本でもそれ以上でも十分実用に供し得る。
【００２８】  図２に示すように、３列のドミノ駒１を、各駒体２の間隔と同様の間隔を空けて直列に立設して、図中矢印方向に左端のドミノ駒１を転倒せると、駒体２は順次右方向に転倒し全てのドミノ駒１が右方向に転倒する。
【００２９】  図５に示すように、左側に１列のドミノ駒１を立設し、その右側に２列のドミノ駒１を平行に少許の間隙をもって立設して、図中矢印方向に左端のドミノ駒１を転倒せると、最初は左側の駒体２が順次右方向に転倒し、次いで右側の駒体２が平行状態で全てのドミノ駒１が右方向に転倒する。
【００３０】  図６に示す第２の実施形態では、駒体２が、左側から順次幅広に形成されている。そうすると、その右側の２列のドミノ駒１の間隙が広くとも、図中矢印方向に左端のドミノ駒１を転倒せると、最初は左側の駒体２が順次右方向に転倒し、次いで右側の駒体２が平行状態で全てのドミノ駒１が右方向に転倒する。
【００３１】  図７に示す第３の実施形態では、駒体２の最大面（立設時の正面視の垂直平面）に隣接する両側面（立設時の正面視の垂直平面）の、立設時に下底となる部分の近傍に、前記第１の実施形態と同様な２本のタコ糸４が接着され、当該タコ糸４よって複数個の駒体２が連結されている。
なお、図示はしていないが駒体２の立設時に下面となる部分に、２本のタコ糸４が接着され、当該タコ糸４によって複数個の駒体２が連結されていてもよい。
この場合、駒体２の立設時に下面となる部分に、２本のタコ糸４が接着されているので、駒体２が順次転倒していく際に前記タコ糸４が邪魔にならず、転倒し易くなる。
【００３２】  図８に示す第４の実施形態では、駒体２の立設時に下底となる部分の近傍の幅方向の左右から２本の溝５が削設され、当該溝６にタコ糸４が固設されている。
【００３３】  図９に示す第５の実施形態では、前記駒体の立設時に下底となる部分に２本の溝６が削設され、当該溝５にタコ糸４が固設されている。
【００３４】  図１０に示す第６の実施形態では、駒体２の最大面は、台形を呈している。なお、図示はしていないが、各駒体２は異型であってもよい。
【００３５】  駒体２の最大面は転倒の順に水平に近い状態となる。従って、図１１に示すように、その際に各駒体２の最大面（転倒した際に上面となる部分）に、右端から順次「こ」「ん」「に」「ち」「は」と表示がされていると、駒体２を右端から転倒させた際に「こんにちは」という一連に称呼される文字が現れ、ドミノ倒しを行う者の興味を引くことになる。
【００３６】  また、同様に駒体２の上記とは反対側の面に、左端から順次「さ」「よ」「う」「な」「ら」と表示がされていると、図１１に示すように、駒体２を左端から転倒させた際に「さようなら」という一連に称呼される文字が現れる。
従って、この場合、駒体２を、右端から転倒させれば「こんにちは」と、また左端から転倒させた際に「さようなら」という一連に称呼される文字が現れることになる。
特に、幼児に対しては知的玩具としての意義も存することになる。
【符号の説明】
【００３７】１  ドミノ駒
２  駒体
３  穿孔
４  タコ糸
５  楔
６  溝
【図１】
2016077833.tif 000003
【図２】
2016077833.tif 000004
【図３】
2016077833.tif 000005
【図４】
2016077833.tif 000006
【図５】
2016077833.tif 000007
【図６】
2016077833.tif 000008
【図７】
2016077833.tif 000009
【図８】
2016077833.tif 000010
【図９】
2016077833.tif 000011
【図１０】
2016077833.tif 000012
【図１１】
2016077833.tif 000013
【図１２】
2016077833.tif 000014